(57)【要約】【課題】デジタル画像処理を用いた同時二重平面イメージング中のＸ線散乱補正の方法。【解決手段】基本的概念は、散乱の影響を除去するような方法で相対する平面の照射から生成された散乱の画像を各平面からの画像と合成することにより、これを補正することを含む。補正画像は、作動している散乱生成平面のＸ線照射のみで検出器（６０）からの画像をサンプリングすることにより形成される。これらのサンプリングされた散乱の画像は、処理されて散乱補正画像を形成する。散乱補正画像は画像メモリ（３９）内に記憶され、これにより後続のＸ線画像との合成に使用可能となり散乱歪みが除去される。【選択図】図１
2006110359.tif 000002
【特許請求の範囲】
【請求項１】
同時二重平面イメージング中に散乱補正する方法であって、
第１のイメージング平面において第１のＸ線束（１４）を生成する段階と、
第１の画像読取情報を生成する段階と、
１次及び散乱信号を前記第１のＸ線束（１４）から第２のイメージング平面においてデジタル処理でサンプリングする段階と、
前記１次及び散乱信号用の第１の補償信号を生成する段階と、
を含む方法。
【請求項２】
第１の補償信号を生成する段階が更に、
第１の散乱画像形成アルゴリズムを起動させる段階と、
前記第１の補償信号を生成する段階と、
前記第１の補償信号を第１の散乱補正メモリ内に格納する段階と、
を含む請求項１に記載の方法。
【請求項３】
第２のＸ線束（２１）を前記第２のイメージング平面において生成する段階と、
第２の画像読取情報を生成する段階と、
前記第２の画像読取情報における散乱を前記第１の補償信号で補償する段階と、
を更に含む請求項１に記載の方法。
【請求項４】
第３のＸ線束を前記第１のイメージング平面において生成する段階と、
第３の画像読取情報を生成する段階と、
第４のＸ線束を前記第２のイメージング平面において生成する段階と、
第４の画像読取情報を生成する段階と、
第２の散乱信号を前記第４のＸ線束から前記第１のイメージング平面においてデジタル処理でサンプリングする段階と、
前記第２の散乱信号の第２の補償信号を生成する段階と、
を更に含む請求項３に記載の方法。
【請求項５】
第２のデジタル散乱読取情報を生成する段階と、
第５のＸ線束を前記第１のイメージング平面において生成する段階と、
第５の画像読取情報を生成する段階と、
前記第５の画像読取情報の散乱を前記第２の補償信号で補償する段階と、
を更に含む請求項４に記載の方法。
【請求項６】
前記第２の画像読取情報及び前記第１の補償信号に応答して第１の散乱補正アルゴリズムを起動させる段階と、
前記第１の散乱補正アルゴリズムから第１の画像表示を生成する段階と、
を更に含む請求項５に記載の方法。
【請求項７】
前記第２のイメージング平面における現在の照射を停止して、前記第１の平面における照射から得られる散乱画像更新を読み取ることにより、前記第１の画像表示を定期的に更新する段階を更に含む請求項６に記載の方法。
【請求項８】
前記第５の画像読取情報及び前記第２の補償信号に応答して、第２の散乱補正アルゴリズムを起動させる段階と、
前記第２の散乱補正アルゴリズムから第２の画像表示を生成する段階と、
を更に含む請求項５に記載の方法。
【請求項９】
同時二重平面イメージング中に散乱補正する方法であって、
第１のイメージング平面に第１のＸ線束を生成する段階と、
第１の画像読取情報を生成する段階と、
第２のイメージング平面において第１の散乱信号を前記第１のＸ線束からデジタル処理でサンプリングする段階と、
前記第１の散乱信号の第１の補償信号を生成する段階と、
第２のＸ線束を前記第２のイメージング平面において生成する段階と、
第２の画像読取情報を生成する段階と、
前記第２の画像読取情報の散乱を前記第１の補償信号で補償する段階と、
を含む方法。
【請求項１０】
スキャン・システム（１０）であり、
ガントリ（１１）と、
前記ガントリ（１１）に結合され、第１のＸ線束（１４）及び第１の平面散乱信号を生成するように適合されたる第１のＸ線源（１２）と、
前記ガントリ（１１）に結合され、第２のＸ線束（２１）及び第２の平面散乱信号を生成するように適合された第２のＸ線源（２０）と、
前記ガントリ（１１）に結合された、前記第１のＸ線束に応答して第１の検出器信号を生成するように適合され且つ更に前記第２の平面散乱信号に応答して第１の散乱信号を生成するように適合された第１のＸ線検出器システム（６０）と、
前記ガントリ（１１）に結合され、前記第２のＸ線束（２１）に応答して第２の検出器信号を生成するように適合され、且つ更に前記第１の平面散乱信号に応答して第２の散乱信号を生成するように適合された前記第２のＸ線検出器システム（１９）と、
前記第１の検出器信号、前記第２の検出器信号、前記第１の平面散乱信号、及び前記第２の平面散乱信号を受信するように適合され、前記第１の平面散乱信号をデジタル処理でサンプリングし、これに応答して第１の画像読取情報を生成し、前記第１の散乱信号用の第１の補償信号を生成して、前記第１の補償信号を第１の散乱補正メモリ（３９）内に格納するように更に適合された前記ホスト・コンピュータ（２４）と、
を備えるシステム。
【発明の詳細な説明】
【技術分野】
【０００１】
本発明は、一般にＸ線システムに関し、より具体的には、二重平面イメージング・システムに関する。本発明は更に、情報システムと連動する二重平面イメージング（ｂｉ−ｐｌａｎｅ  ｉｍａｇｉｎｇ）から生成された画像データの生成及び転送に関する。
【背景技術】
【０００２】
Ｘ線イメージングは、対象物の内面又は内部部分の画像を撮影する方法である。（対象物の内面又は内部部分とは、対象物を開いて関心のある部分を露出しない限り、人間の目では対象物の外側から見ることができない部分である。）かかる対象物は、人間（動物）の身体、荷物、又は車両とすることができる。Ｘ線ビームが対象物を透過すると、該対象物の様々な構造体によりＸ線ビームが吸収される。身体の場合、かかる構造体は体内の骨、組織及び体液を含み、これにより得られるビーム強度が変化する。対象物から現れるＸ線ビームの強度は、Ｘ線ビーム・データを詳細な画像に変換する装置により計測される。
【０００３】
典型的な診断用Ｘ線システムは、ガントリ、患者支持台、Ｘ線発生サブシステム、Ｘ線検出サブシステム、画像表示装置、及びユーザ・インターフェースを含む。ガントリは、１つ又はそれ以上のＸ線源及び関連するＸ線検出器を支持する。ユーザ・インターフェースを介して対話するユーザは、ガントリ及び患者支持台を操作して、臨床的に関連のある各Ｘ線ビューを取得し、要求時にＸ線発生を開始して、画像表示装置上で得られた検出画像を観察する。
【０００４】
二重平面イメージングは、２つのＸ線源及び２つのＸ線検出器を必要とする。各線源／検出器ペアは、対象物を通るＸ線投射の固有のビューを形成する。２つの投射は、臨床診断法を完成する要求に応じて直角又は他の任意の相対角度で調整することができる。
【０００５】
散乱放射線は、放射線の偏向又は焦点経路を外れた任意の角度を通る粒子により引き起こされる。
【０００６】
同時二重平面イメージングは、両平面への同時Ｘ線照射を含む。この方法では、対向する平面上の照射からの散乱放射線が１次平面の放射線に含まれ、検出された画像情報を偏向する。
【０００７】
多くの相対投射角度では、散乱放射線の量がかなりあり、検出された１次画像を診断用に受け入れ不能にする。対向する平面散乱の悪影響を排除するために、交互二重平面イメージングとして公知のシステムが標準として認められるようになった。交互二重平面方法では、Ｘ線は一度に１つの平面にしか照射することができない。
【０００８】
連続イメージングにおいて、交互二重平面方法に対応するのに必要なイメージング速度の低減は、幾つかの診断手法に重大な影響を及ぼす。イメージング速度の制限を克服するために、「ブランキング」として公知のＸ線検出の障害を制御する機構が画像増倍管置内で開発された。各平面上の画像倍増管を「ブランキング」することにより、当該平面への照射が動作中でないときは常に、読取画像に影響する散乱放射を生じることなく画像読取間隔の間に対向する面への照射を行うことが可能である。ブランキング性能を使用することにより、各平面への照射は各平面に対するイメージング速度の増加をもたらす位相でシフトすることができる。
【０００９】
デジタルＸ線検出法の１つの欠点は、画像倍増管の「ブランキング」性能に匹敵する機構に対応していないことである。これにより、デジタルＸ線検出器が二重平面応用に導入されるときに、前述の交互二重平面方法を使用する必要があるが、イメージング速度の低減によりこれは非効率的な結果をもたらす。
【発明の開示】
【発明が解決しようとする課題】
【００１０】
現在のスキャン・システムに付随する欠点により、スキャン及びデータ転送の新たな技法が必要であることが明らかになった。新たな技法は、散乱の影響を実質的に無効とすべきである。更に、新たな技法は、保険総合情報システムで使用される改善された画像データを提供すべきである。本発明はこれらの目的を対象とする。
【課題を解決するための手段】
【００１１】
本発明の一態様によれば、同時二重平面デジタル・イメージング中の散乱補正の方法は、第１のイメージング平面において第１のＸ線束を生成する段階と、第１の画像読取情報を生成する段階と、第２のイメージング平面において第１の散乱信号を第１のＸ線束からデジタル処理でサンプリングする段階と、及び第１の散乱信号の第１の補償信号を生成する段階とを含む。
【００１２】
本発明の別の態様によれば、デジタル・イメージング・システムは、ガントリと、該ガントリに結合される第１のＸ線源とを含む。第１のＸ線源は、第１のＸ線束及び第１の平面散乱信号を生成するように適合されている。第２のＸ線源もまたガントリに結合され、第２のＸ線束及び第２の平面散乱信号を生成するように適合されている。第１のＸ線検出器システムはガントリに結合され、第１のＸ線束に応答して第１の検出器信号を生成するよう適合され、更に第２の平面散乱信号に応答して第１の散乱信号を生成するように適合されている。
【００１３】
第２のＸ線検出器システムはガントリに結合され、第２のＸ線束に応答して第２の検出器信号を生成するように適合され、更に第１の平面散乱信号に応答して第２の散乱信号を生成するように適合されている。ホスト・コンピュータは、第１の検出器信号、第２の検出器信号、第１の平面散乱信号、及び第２の平面散乱信号を受信するように適合されている。ホスト・コンピュータは、また更に、第１の平面散乱信号をデジタル処理でサンプリングし、これに応答して第１の画像読取情報を生成し、第１の散乱信号の第１の補償信号を生成して、第１の補償信号を第１の散乱補正メモリ内に格納するように適合されている。
【００１４】
本発明の１つの利点は、交互二重平面法のイメージング速度を増加させるためにＸ線源又はＸ線検出器内の性能を改善する必要もなく、単一平面動作中に達成されるものと実質的に同じである同時二重平面動作中に同等のイメージング速度を達成する方法を含むことである。これによりデジタル検出器技法を二重平面適用に直接適用することが可能となる。
【００１５】
加えて、本発明は、同時二重平面の使用を促進し、これは非常に望ましいことである。散乱の影響を回避することにより優れた画質を生じる結果として、交互二重平面が普及しているが、研究中の対象物の同時ビューを提供することはできず、これが二重平面イメージングの目的である。同時二重平面のみがこの目的を達成する。
【発明を実施するための最良の形態】
【００１６】
本発明の更なる利点及び特徴は、以下の説明から明らかになり、添付図面を参照しながら添付の請求項に具体的に提示された手段及び組合せにより実現することができる。
【００１７】
次に、本発明をより完全に理解するために、添付図を参照しながら例証の目的で与えられる幾つかの実施形態を説明する。
【００１８】
本発明は、医療分野に特に好適な診断用Ｘ線イメージング・システム１０に関して説明される。しかしながら本発明は、当業者には理解されるように、例えば荷物スキャナ、車両スキャナ、移動する対象物スキャナ、液体スキャナなどのスキャンを必要とする場合の他の様々な用途に適用可能である。
【００１９】
図１及び図２を参照すると、ガントリ１１を含む散乱放射線補償イメージング・システムが、本発明の１つの実施形態に従って示される。ガントリ１１に結合される第１のＸ線源１２は、第１のＸ線束１４を生成し、これはテーブル１７上の対象物１６（例えば患者）を透過し第１の散乱放射線を生成する。システムは更に、ガントリ１１に結合される第１のＸ線検出器１８（第１の検出器システム）を含み、これはＸ線束及び散乱信号に応答して検出器信号を生成する。
【００２０】
同様にガントリ１１に結合される第２のＸ線源２０は、第２のＸ線束２１を生成し、これは対象物１６を透過して第２の散乱放射線を生成する。システムは更に、ガントリ１１に結合される第２のＸ線検出器１９（第２の検出器システム）を含み、これはＸ線束及び散乱信号に応答して検出器信号を生成する。
【００２１】
前述の散乱信号を補償する方法が、図４及び図５に関して詳細に検討される。本システム及び方法は、二重平面イメージングに適用されるが、しかしながら、当業者には理解されるように、１つ、２つ、又は３つの平面イメージング（又は他の数のスキャン平面）を含む他の多くのイメージングの組合せに適用可能である。
【００２２】
ホスト・コンピュータと表示装置２４、並びに他の様々な公知のＸ線コントローラと表示構成要素を含むシステム制御ユニット２２は、検出された１次及び散乱信号を受信し、画像信号を生成することにより応答する。Ｘ線制御ユニット２２はまた、例えばオペレータ・コンソール２３、Ｘ線コントローラ２５、テーブル制御装置２９、ガントリ・モータ制御装置３０、大容量記憶装置３９、及び画像検出制御装置４１を含み、これらは全て以下で検討される。
【００２３】
理想的には、第１のＸ線源１２、第１のＸ線検出器１８、第２のＸ線源２０、及び第２のＸ線検出器１９が結合される。具現化されたガントリ１１は多くの可能性のあるＸ線装置支持構造の一例に過ぎないことは、当業者であれば理解されるであろう。加えて、異なる対象物（例えば荷物、車両、様々な位置の患者など）を撮像するために、相対運動及び平面方向を再配向することができる（例えば、様々な種類の運動（例えばベルトを用いた直線、種々の形状の円弧経路を用いて弧を描くなど）を用いて線源及び検出器に対して対象物を移動させる）。
【００２４】
Ｘ線源１２、２０は、フラット・パネルＸ線源又は拡張Ｘ線源、あるいは標準Ｘ線管として具現化される。Ｘ線源１２、２０は、当業者には理解されるように、ホスト・コンピュータ２４又はＸ線コントローラ２５のいずれかにより起動される。具現化された方法には、線束のパルスで起動されるＸ線源１２、２０が含まれ、これにより図４のタイミング図で示されるように、「オン」位相中に第１の線束、「オフ」位相中に後続の画像読取、及び次の「オン」位相中に後続の線束を生成する。
【００２５】
Ｘ線源１２、２０は、当業者には理解されるように、ホスト・コンピュータ２４からの信号に応答して作動するテーブル制御装置２９により制御される可動式テーブル２７上の対象物１６を透過してＸ線束１４、２１を送信する。
【００２６】
第１のＸ線源１２はガントリ１１に結合されて、第１のＸ線束１４及び第１の平面散乱信号を生成する。第２のＸ線源２０もまた、ガントリ１１に結合され、第２のＸ線束２１及び第２の平面散乱信号を生成する。
【００２７】
Ｘ線源１２、２０からのＸ線束１４、２１は、患者を透過してＸ線検出器１８、１９に
入射する。信号がホスト・コンピュータ及び表示装置２４に通り、ここで信号は最終的なＸ線画像のために、患者を透過するＸ線フォトンの減弱に対応するグレー・レベルに変換される。
【００２８】
Ｘ線検出器１８、１９（検出器システム）は通常、それぞれのＸ線源１２、２０に対向して配置され、Ｘ線束１４、２１及びこれらから生成される散乱放射線を受信する。検出器１８、１９は、標準的なＸ線検出器及び散乱検出器の両方、或いはＸ線信号及び交互平面散乱信号の両方を受信するＸ線検出器のみを含む。１つの実施形態においては、デジタルＸ線検出器が用いられる。検出器１８、１９の別の実施形態において、検出された線束を散乱信号に制限し且つ補償信号の生成を単純化する機構が含まれ、これは以下で説明される。  
【００２９】
第１のＸ線検出器１８又は検出器システムはガントリに結合され、第１のＸ線束に応答して第１の検出器信号を生成し、更に第２のＸ線束がオフ状態のときに第２の平面散乱に応答して１次及び散乱信号を生成する。
【００３０】
第２のＸ線検出器１９は、ガントリに結合され、第２のＸ線束に応答して第２の検出器信号を生成し、更に第１の平面散乱に応答して第２の散乱信号を生成するように適合されている。
【００３１】
本発明は、Ｘ線に関して説明されるが、しかしながら、マンモグラフィ、血管Ｘ線イメージング、骨スキャンなどを含む検出器を用いた任意の形式のＸ線システムに代替的に使用される。別の実施形態には、溶接検査、金属検査などの他の非医用用途が含まれる。本質的には、デジタルＸ線検出器を用いて１、２、又は３次元画像を形成することができる任意のものである。
【００３２】
ホスト・コンピュータ２４は、検出器信号を受信し、Ｘ線源１２、２０を起動させるが、しかしながら、別の実施形態には、Ｘ線源１２、２０の独立した作動手段が含まれる。本発明は、当業者には理解されるように、技術者によるＸ線源１２、２０の制御のためのオペレータ・コンソール２３を含む。
【００３３】
ホスト・コンピュータ２４はまた、第１の平面散乱信号及び第２の平面散乱信号を受信する。ホスト・コンピュータ２４は、第１の平面散乱信号をサンプリングし、これに応答して第１の画像読取情報を生成し、更に１次及び散乱信号の第１の補償信号を生成して、ホスト・コンピュータ２４内の第１の散乱補正メモリ内に第１の補償信号を格納する。
【００３４】
ホスト・コンピュータ２４の１つの実施形態は、第１及び第２の平面散乱画像形成アルゴリズム、第１及び第２の平面散乱補正画像メモリ、第１及び第２の平面散乱補正アルゴリズム、並びに両方の平面の表示装置を含む。これらのホスト・コンピュータ要素の全ては、図４のタイミング図及び図５のブロック図に関して詳細に検討されることになる。
【００３５】
検査中に、データが収集及び処理され、Ｘ線画像が、例えば画像表示装置及びユーザ・インターフェース３７を通じて放射線技師に提示される。ホスト・コンピュータ２４は、１次及び散乱信号を読み取り、例えば画像検出コントローラ４１を通じて適当な位置で表示を更新することだけを必要とする。或いは、ホスト・コンピュータ２４は、将来の参照のために大容量記憶装置ユニット３９に画像データを格納する。
【００３６】
図３を参照すると、ガントリ５５を含む、コンピュータ断層撮影（ＣＴ）システム用の散乱放射線補償イメージング・システム５４が、本発明の別の実施形態により示されている。
【００３７】
コンピュータ断層撮影システムは、ガントリ５５に結合された第１のＸ線源５６を含み、テーブル５９上の対象物５８を透過する第１のＸ線束５７を生成して第１の散乱放射線を生成する。システムは更に、ガントリ５５に結合される第１のＣＴ検出器６０を含み、これはＸ線束及び散乱信号に応答して検出器信号を生成する。
【００３８】
同様にガントリ５５に結合された第２のＸ線源６２は、第２のＸ線束６４を生成し、これは対象物５８を透過して第２の散乱放射線を生成する。
【００３９】
システムは更に、ガントリ５５に結合された第２のＣＴ検出器６６を含み、これはＸ線束及び散乱信号に応答して検出器信号を生成する。
【００４０】
システムは更にまた、ホスト・コンピュータ及び表示装置７０を含むシステム制御ユニット６８を含み、これは図１のホスト・コンピュータと同様に機能する。
【００４１】
換言すると、検査中に、データが収集され処理されて、例えば、Ｘ線画像が、画像表示装置及びユーザ・インターフェースを通じてＣＴ技術者に提示される。ホスト・コンピュータ７０は、１次及び散乱信号を読み取り、例えば、画像検出コントローラを通じて適当な位置で表示を更新することだけを必要とする。ホスト・コンピュータ７０は或いはまた、将来の参照のために大容量記憶装置ユニット内に画像データを格納する。
【００４２】
前述の散乱信号を補償する方法は、図４及び図５に関して詳細に検討される。
【００４３】
図５のブロック図５０に関して、図４のタイミング図４９を参照してイメージング・シーケンス法が示されている。以下の動作の順番は、本発明に含まれる一連のタイミング・ステップの１つの実施例の単なる例証に過ぎない点を留意することが重要である。以下のステップを異なる順番で含む別の多くのブロック図もまた、当業者には容易に理解されるように本明細書で具現化される。
【００４４】
ブロック図５０は、タイミング図４９を含み、これは本発明に含まれる可能な一連のステップを示すのに含まれる二重平面イメージング列の中間からの一部である。
【００４５】
論理は、第１のＸ線源が第１のＸ線平面照射９３及び結果として得られる散乱９６を第２の平面に生成する動作ブロック９０で始まる。
【００４６】
動作ブロック９４において、第２の検出器システムが第１の平面散乱９６を検出する。
【００４７】
動作ブロック９８において、散乱読取情報１００が第２の検出器システムにより生成される。
【００４８】
動作ブロック１０２において、第２の平面散乱補正形成アルゴリズム１０４が、第１の補償信号を起動して生成し、第１の平面散乱９６を補償する。
【００４９】
動作ブロック１０６において、第２の平面散乱補正メモリ１０８は、第１の補償信号を受信し、散乱補正動作中に検索するためにこれを格納する。
動作ブロック１１０において、後続の第２の平面Ｘ線１１２及び画像読取情報１１４が生成される。
【００５０】
動作ブロック１１６において、第２の平面散乱補正アルゴリズム１１８は、格納された散乱補償信号及び後続の画像読取情報を受信する。動作ブロック１２０において、各画像読取情報で第２の平面散乱補正アルゴリズム１１８が第２の平面表示１２１を生成する。単純減算法などの多くの可能な補償アルゴリズムを用いて、画像信号からの散乱を低減又は削除することができることは、当業者であれば理解するであろう。
【００５１】
動作ブロック１２２において、第２のＸ線源は、第２のＸ線平面１２４をスキャンし、第２のＸ線束１２６及び第２の画像読取情報１２８を生成する。第１のＸ線源は、第３のＸ線束１３０及び画像読取情報１３２を生成する。第２のＸ線源は次に、第４のＸ線束１３４及び第４の画像読取情報１３６を生成する。
【００５２】
動作ブロック１３８において、第１の検出器は、第１の画像平面９２において第４のＸ線束１３４から散乱１４０を検出する。
【００５３】
動作ブロック１４２において、散乱読取情報１４４が第１の検出器システムにより生成される。
【００５４】
動作ブロック１４８において、第１の平面散乱補正形成アルゴリズム１５０が、第２の補償信号を起動して生成し、第２の平面散乱１４０を補償する。
【００５５】
動作ブロック１５２において、第２の平面散乱補正メモリ１５４が第２の補償信号を受信し、散乱補正動作中の検索のためこれを格納する。
【００５６】
動作ブロック１５６において、後続の第１の平面Ｘ線１５８及び画像読取情報１６０が生成される。
【００５７】
動作ブロック１６２において、第１の平面散乱補正アルゴリズム１６４は、格納された散乱補償信号及び後続の画像読取を受信する。動作ブロック１６６において、各画像読取情報は、第１の平面散乱補正アルゴリズム１６４が第１の平面表示１６６を生成する。
【００５８】
動作中、同時二重平面イメージング中の散乱補正方法は、第１のイメージング平面において第１のＸ線束を生成すること、第１の画像読取情報を生成すること、及び第２のイメージング平面において第１の散乱信号を第１のＸ線束からデジタル処理でサンプリングすることを含む。第１の補償信号は、第１の散乱信号のために生成される。
【００５９】
本方法の１つの実施形態は、第１の散乱画像形成アルゴリズムを起動させること、次いで、第１の補償信号を生成すること、及び第１の補償信号を第１の散乱補正メモリ内に格納することを含む。
【００６０】
第２のＸ線束は、第２のイメージング平面で生成され、第２の画像読取情報が生成され、散乱が第２の画像読取情報において第１の補償信号で補償される。
【００６１】
第３のＸ線束は、第１のイメージング平面において生成され、第３の画像読取情報もまた生成される。第４のＸ線束は、第２のイメージング平面において生成され、第４の画像読取情報がこれらから生成される。第２の散乱信号は、第４のＸ線束から第１のイメージング平面においてデジタル処理でサンプリングされ、第２の補償信号が第２の散乱信号のために生成される。
【００６２】
本発明の別の実施形態は、Ｘ線束のいずれか又は第２の画像平面からの画像読取情報から散乱をサンプリングすることを含む。
【００６３】
第５のＸ線束が第１のイメージング平面において生成され、第５の画像読取情報がこれから生成される。第５の画像読取情報の散乱は、第２の補償信号で補償される。
【００６４】
第１の散乱補正アルゴリズムは、第２の画像読取情報及び第１の補償信号に応答して起動され、第１の画像表示は第１の散乱補正アルゴリズムから生成される。
【００６５】
第１の画像表示は、第２のイメージング平面の現在の照射を停止し、第１の平面の照射から結果として得られる散乱画像更新を読み取ることにより定期的に更新される。
【００６６】
第２の散乱補正アルゴリズムは、第５の画像読取情報及び第２の補償信号に応答して起動され、第２の画像表示は第２の散乱補正アルゴリズムから生成される。
【００６７】
ホスト・コンピュータは、当業者には理解されるように、検出器及び散乱信号に応答して典型的な画像処理ステップを循環する。すなわち、データ補正が修正され、Ｘ線量が計測されて正規化される。必要な較正補正がなされ、結果として得られた信号は、通常は低線量フィルタ及び適応フィルタを通してフィルタ処理され、信号のノイズを低減する。次いで信号は、表示ピクセル・フォーマットに変換され、続いて表示される。
【００６８】
上述のことから、当該技術に新たなスキャン・システムがもたらされたことがわかる。１つの実施形態の前述の説明は、本発明の原理の応用及びその用途を表す多くの特定の実施形態の一部の例示に過ぎない点を理解されたい。
【００６９】
例えば本発明は、手荷物、荷物、車両、液体、郵便物などをスキャンするのに用いる広範な対象物スキャナ（例えばベルト及びベッド・スキャナ）における適用を含む。更に、本発明により改善された画像を表すデータ画像データファイルの生成が可能である。これらのデータファイルは、ネットワーク（インターネット、広域及びローカル・エリア・ネットワークなど）を通して伝送するように構成され、医療治療及び医療費請求、安全管理、画像アーカイブ、患者治療及び支払い追跡などの広範な機能を実行する。
【００７０】
多くの及び他の構成は、添付の請求項により定義されるような本発明の範囲から逸脱することなく当業者に明らかになるであろう。図面における参照符号に相当する請求項の参照符号は、請求される発明の理解を容易にするためのものに過ぎず、請求される発明の範囲を狭めるものではない。本出願の請求項に記載されることは、本明細の説明の一部とするために本明細書に組み込まれる。
【図面の簡単な説明】
【００７１】
【図１】本発明の１つの実施形態による二重平面診断用イメージング・システムの図。
【図２】図１のブロック図。
【図３】本発明の別の実施形態によるコンピュータ断層撮影スキャン・システムの図。
【図４】本発明の別の実施形態による二重平面スキャン法のタイミング図。
【図５】本発明の別の実施形態による対象物をスキャンする方法のブロック図。
【符号の説明】
【００７２】
１２，２０  Ｘ線源
１８，１９  Ｘ線検出器
２２  制御ユニット
２４  ホスト・コンピュータ及び表示装置
【図１】
2006110359.tif 000003
【図２】
2006110359.tif 000004
【図３】
2006110359.tif 000005
【図４】
2006110359.tif 000006
【図５】
2006110359.tif 000007